(57)【要約】      （修正有）【課題】容器からの液体洗剤のこぼれ出しをなくす。【解決手段】流体を容器からディスペンスするため容器のくびれ部分に対するねじ式係合部を備える、容器を閉塞し且つ通気する通気口付き蓋は、容器とねじ式に係合し得る構造及び配置とされた、成形した単一のプラスチックキャップを有している。ねじ付きキャップは、サイフォン管を受け入れる寸法及び配置とされた隔壁オリフィスを画成する。ガスケットが通気口付き蓋と容器との間の相互嵌まり部を封止するようにねじ付きキャップ内に組み立てられる。エラストマー性通気弁がねじ付きキャップ内に組み立てられ、また、通気弁は、サイフォン管を自己封止可能な仕方にて受け入れるべくスリットが形成された隔壁を備えている。通気弁をねじ付きキャップ内に拘束するためリテーナリングが使用され、また、ねじ付きキャップと単一体として組み合わさった安全リングが通気口付き蓋を容器上に保持する。【選択図】  図４
2004359345.tif 000002
【特許請求の範囲】
【請求項１】
容器のくびれ部分に対しねじ式に係合する部分を備える、容器を閉塞し且つ通気する通気口付き蓋において、
前記容器に対しねじ式に係合し得る構造及び配置とされ、隔壁オリフィスを画成するねじ付きキャップと、
該ねじ付きキャップ内に組み立てられたガスケットと、
該ねじ付きキャップ内に組み立てられ、スリットが形成された隔壁を有するエラストマー性通気弁と、
該通気弁を拘束し且つ、前記ねじ付きキャップに取り付ける構造及び配置とされた保持リングと、
前記通気口付き蓋を前記容器の上に保持し得るよう前記ねじ付きキャップと単一体にて組み合わされた安全リングとを備える、通気口付き蓋。
【請求項２】
エラストマー性通気弁が、自己ブリード性フィラーにて処方されたシリコーンポリマーで製造される、請求項１の通気口付き蓋。
【発明の詳細な説明】
【技術分野】
【０００１】
本発明は、全体として、容器の開口部にねじ止め可能に取り付け得る構造及び仕組みとされた容器の蓋に関する。より具体的には、本発明は、容器の液体中身の一部を出口ポートを介して除去するとき、空気が容器の内部に入ること（負圧を逃がすため）を許容し得るように通気される容器の蓋に関する。この特別な蓋構造は、二重通気蓋として説明することができる。予定する容器の中身は、主として液体であるが、本明細書にて説明するように、スラリー化した製品をディスペンスすることもできる。
【０００２】
本発明は、多岐に亙る構造形態及び装置にて使用可能であるが、本発明は、工業的洗浄過程にて使用されるもののような、液体形態の濃縮した化学剤又はスラリー化した製品をディスペンスする装置に関して説明する。更に、本発明は、洗剤を機械に供給するため自動皿洗い機のような機械に流れ接続することを目的とする、交換可能な封止型容器に関して説明する。
【背景技術】
【０００３】
クロスデール（Ｃｒｏｓｓｄａｌｅ）らに対し１９９２年２月１日付けで発行された米国特許第５，０８６，９５０号には、工業的洗浄過程用に液体又はスラリー化した製品をディスペンスする装置が記載されている。この発明は、構造的には異なるものの、同様の目的及び適用可能性を有するため、米国特許第５，０８６，９５０号は、その背景の説明及びその全体的なシステムの環境の説明のため、参考として引用し本明細書に含めてある。米国特許第５，０８６，９５０号は、発明の背景を次のように記述している。
【０００４】
従来、液体洗剤は、顧客に大型のドラムで供給され、皿洗い機内部の洗剤リザーバには、ドラムから定期的に補給される。これは、皿洗い機を常に補給された状態に保つための骨が折れ且つ、不便な方法であり、その結果、苛性であることが多い液体が操作者の手にこぼれ出る可能性がある。
【０００５】
これと代替的に、洗剤を比較的大型のドラムから供給し、管に沿って皿洗い機に圧送するか、その他の方法で直接、皿洗い機にディスペンスしてもよい。かかる圧送システムは、操作者が圧送システムの接続を外し、また、供給ドラムに再接続するとき、洗剤がこぼれ出ることがしばしば生ずる。
【発明の開示】
【発明が解決しようとする課題】
【０００６】
本発明の１つの側面による１つの目的は、例えば、皿洗い機のディスペンサのような、機械の作用可能な部分に直接、装着される比較的小型の容器にて液体製品を供給し、これによりこぼれ出し及び漏れを最小にし又は解消するシステムを提供することである。本発明の更なる側面による１つの目的は、液体製品を管に沿って容易に且つ、きれいにディスペンスし、同様に、こぼれ出し及びユーザの手の汚れを最小にし又は解消するシステムを提供することである。
【０００７】
本発明は、従来の技術に対する新規且つ非自明の進歩、及び米国特許第５，０８６，９５０号に記載された蓋に卓越する改良を実現するものである。本発明の目的とする用途は、流体ディスペンスシステムの一部であるが、蓋が取り付けられる容器は、上下逆さの姿勢にて機械に直接、取り付け又は直立の状態で使用し且つ、導管により機械に接続することができることを認識すべきである。後者の配置は、機械に供給するため流体を吸出し得るように何らかの型式の圧送又は吸引構造体を必要とする。何れの形態においても、流体供給導管又はサイフォン管が利用される。容器は封止されているため、流体中身が除去されるとき、真空圧が形成され、この場合、内部の負圧を除去するため容器を通気しなければならない。このことが本発明の部分である。最終的に、容器内の液体又はスラリー製品は、こぼれ出したり、ユーザの手を汚すことなく滑らかに流れる仕方にてディスペンスすることができる。
【０００８】
本発明によれば、通気口付き蓋は、容器が選んだ流体又はスラリー製品にて充填された後に利用される自己充足型のタンパープルーフねじキャップとして機能する。吸引管又はサイフォン管を受け入れ且つ案内するキャップの一部として精密スリット及び案内リング部分を有し、また、圧力平衡した通気弁を有する中央隔膜又は隔壁が通気口付き容器の一部として含められる。通気口付き蓋及び容器を有する全体的な蓋システムの適正な機能は協働してこぼれ出し、漏れ、不正なアクセス及び容器の扁平化／潰れを防止し得るように液体及び（又は）スラリー製品を容器内で安全に保持する。このことは、全て、通気弁を全く詰まらせることなく一定のディスペンス量にて実現される。容器及び通気口付き蓋に対して使用された材料は、本発明によれば、広範囲な化学的適合性を有し且つ、さもなければ性能上の問題を生ずる可能性のある流体の攻撃に対する抵抗性を呈する。特に、本明細書に開示された封止し且つ通気する傘形弁は、時間の経過と共に表面にブリードし且つ、有利な材料の性質を提供する自己ブリード性フィラーを有するシリコーンゴム（ポリマー）にて製造される。
【０００９】
最後に、本発明は、従来の技術に対する新規且つ、非自明の進歩を提供する。
【課題を解決するための手段】
【００１０】
本発明の１つの実施の形態による容器のくびれ部分に対するねじ式係合部を有する容器を閉塞し且つ、通気する通気口付き蓋は、容器にねじ式に係合し得る構造及び配置とされたねじ付きキャップであって、隔壁オリフィスを画成するねじ付きキャップと、ねじ付きキャップ内に組み立てられたガスケットと、ねじ付きキャップ内に組み立てられたエラストマー性の通気弁であって、スリットが形成された隔壁を有する上記通気弁と、通気弁を拘束し且つ、ねじ付きキャップに取り付けられる構造及び配置とされたリテーナリングと、通気口付き蓋を容器に保持するねじ付きキャップと単一体に組み合わさった安全リングとを備えている。
【００１１】
本発明の１つの目的は、改良された通気口付き蓋を提供することである。
本発明の関連する目的及び有利な効果は、以下の説明から明らかになるであろう。
【発明を実施するための最良の形態】
【００１２】
本発明の原理の理解を促進する目的のため、次に、図面に図示した実施の形態に関して説明し、その説明のために特定の用語を使用する。しかし、これにより本発明の範囲を何ら限定することを意図するものではなく、通常、本発明が関係する技術分野の当業者によって案出される、図示した装置の変形例及び更なる改変例並びに本明細書に示した本発明の原理の更なる適用が含まれることを意図するものであることが理解されよう。
【００１３】
図１から図４を参照すると、本発明の１つの好ましい実施の形態による通気口付き蓋２０が図示されている。蓋２０は、キャップ２１と、ガスケット２２と、傘形弁２３と、リテーナリング２４とを含む４つの構成要素部品の組立体である。構成要素部品の各々は、環状の形状をしており且つ、その長手方向軸線の周りで実質的に対称である。図３及び図４に示したような４つの構成要素部品の組立体の結果、４つの構成要素部品の全てが互いに対し実質的に同心状である組立体となる。リテーナリング２４は、図６に更に図示されている。傘形弁２３は、図７に更に図示されている。
【００１４】
キャップ２１は、環状のキャップスカート部２８と、頂部デッキ２９と、周縁リング３０と、５つのスカートリブ３１と、安全リング３２と、隔壁オリフィス３３と、３つの通気ポート３４とを有している。キャップ２１は、単一の成形したプラスチック構造体であり、好ましい材料は、高密度ポリエチレン（ＨＤＰＥ）である。
【００１５】
蓋スカート部２８は、雌ねじ付きであり、ねじピッチは、キャップ２１が取り付けられる選んだ容器（図示せず）のねじピッチに相応する。蓋２０と共に使用される典型的な容器は、キャップ２１の寸法、形状及び全体的な構造に適合可能な雄ねじ付きくびれ部分を有している。頂部デッキ２９は、円形で且つ、実質的に平坦であり、周縁リング３０の半径方向内方に配置されている。５つのスカートリブ３１は、等間隔に配置されており且つ、各リブ３１の内面に沿ってキャップスカート部２８の外面と接続されている。リブ３１の各々は、また、各リブ３１の下面に沿って安全リング３２の上面と接続されている。隔壁オリフィス３３は、容器からその所期の機能の一部として使用し得る構造及び配置とされた機械まで流体をディスペンスすべく穿刺する管状導管（サイフォン管）を受け入れる寸法とされている。本発明に対する「機械」の一例は、皿洗い機であり、「流体」は洗剤である。
【００１６】
容器は、選んだ流体にて充填され且つ、蓋２１の確実で密着するねじ付き組立体により容器の雄ねじ付き開口又はくびれ部分に閉じられたならば、封止型容器となるような構造及び配置とされ、また、そうすることを目的とする。キャップ２１と共に単一の構造体である安全リング３２は、蓋が前進する時計回り方向に回転するとき、容器における１つ以上の突起を曲げ且つ該突起上で傾斜する等間隔の周縁方向系統のラチェット歯３８を有している。蓋２０を容器のくびれ部分から除去しようとして逆方向又は後退方向に向けて、ラチェット歯３８は、容器の突起の１つ以上に対して当接し、通気口付き蓋２０がこの逆の反時計回り方向に向けて除去されるのを防止する。このようにして、キャップは、その完全な閉塞及び封止位置に締め付けられたとき、容器に止まる。この場合、安全リング３２は、蓋２０の除去を防止するタンパープルーフ構造体として機能する。
【００１７】
本発明の場合におけるような、封止型容器において、流体が吸引されるとき、容器内部に負圧が生ずる。負圧が除去されないならば、その負圧は、容器の扁平化及び（又は）容器の潰れが生ずる程度に達する可能性がある。また、容器の内部に作用する高い負圧は、容器から機械へ流体をディスペンスすることにも影響を与える。従って、外部の空気が容器の内部に入って負圧を除去し又は打消すことができるように、３つの通気ポート３４が設けられている。これらの等間隔の通気ポート３４は常に雰囲気に対して開放しているならば、容器は、蓋２０を容器に固定することにより「封止されない」。このことは一方、取り扱い及び輸送中、こぼれ出ることを許容することになろう。この問題点に対処するため、３つの通気ポート３４の各々を閉じ且つ、容器に対し封止された内部を提供するため、傘形弁２３がキャップ２１内に取り付けられている。通気ポート３４の上方における傘形弁２３が閉じ且つ封止した状態にあることは、静止又は休止状態にあることを表わす。しかし、流体が容器からディスペンスされるとき、その閉じ且つ封止した状態にあるならば、容器内に負圧が蓄積し始める。外部空気を容器内に導入すべく通気ポート３４を使用するためには、傘形弁２３の閉じるフラップ部分又は外側半径方向リングを通気ポートから持ち上げて外部空気がこれらの通気ポート３４を通って流れるのを可能にしなければならない。内部の負圧が半径方向弁フラップを吸引力によって通気ポート３４から引き離すのに十分な程度に達したならば、傘形弁フラップのこの持ち上げ又は撓みは「自動的」に行われる。傘形弁フラップの撓みを生じさせ、従って、容器を通気させるため、傘形弁に対する適宜な材料の選択を決定し、半径方向弁フラップの全体的な重量、寸法、及び形状並びにその可撓性を決定し、該フラップが必要とされる封止作用を提供するが、負圧によって持ち上げられて通気作用を行うようにすることが重要となる。また、負圧の程度及び形成される吸引力、また、負圧の通気を行うべきときを検討することも重要である。弁２３に対して望まれる材料及び材料の性質に関して以下に更に論ずる。
【００１８】
図３及び図４を続けて参照すると、傘形弁２３は、実質的に平坦な環状リング基部３７と、環状の半径方向弁フラップ３９と、隔壁（隔膜）４０とを有している。テーパー付き側壁４１は、隔壁４０によって閉じられる中空の内部４２を画成する。半径方向弁フラップ３９は、環状の先端４３まで半径方向外方にテーパーが付けられた截頭円錐形の形状をしている。隔壁４０は、スリット４０ａ（図７参照）と、補強リブ４０ｂとを有している。
【００１９】
キャップ２１は、キャップスカート部２８、周縁リング３０及び隔壁オリフィス３３に対して全体として同心状の内側円筒壁４７を有する単一体の成形プラスチック構成要素である。隔壁オリフィス３３は、環状の受け入れ溝４９と、実質的に平坦な基部面５０とを有するテーパー付きの環状壁４８により画成される。該環状壁４８は、隔壁オリフィス３３及び溝４９を画成する環状の湾曲部分４６内に伸びている。この湾曲部分４６は、サイフォン管を受け入れ且つ該サイフォン管を隔壁４０と整合させる内方テーパー付きの形状を有する。容器から中身をディスペンスするためにサイフォン管を使用することに関して以下に説明する。
【００２０】
内面５１は、基部面５０の方向に向けて溝４９から拡がる一方、壁４８の外面５２は、また基部面５０に向けて収斂するようにテーパーが付けられている。壁４８のテーパー付きの形状は、弁２３の溝５３のテーパー付き形状に適合し得る構造及び配置とされている。溝５３は、環状の形態をしており且つ、フラップ３９と側壁４１との間に配置され、また該フラップ３９と側壁４１とにより画成されている（図４参照）。キャップ２１は、高密度ポリエチレン（ＨＤＰＥ）にて製造されることが好ましく、また、その一例としての寸法は５３ｍｍである。
【００２１】
図４及び傘形弁２３を続けて参照すると、隔壁４０は、環状リブ５４によって境が設定されており、リブ５４は、環状の受け入れ溝４９に嵌まり、このため、この環状位置にて両者の間に半径方向圧縮状態が存在する。壁４８の軸方向最上面（湾曲部分４６）は丸味が付けられており且つ、隔壁４０に接触する内側リップ部５９を備えて形成されている。傘形弁２３がキャップ２１内に組み立てられると、壁４８の基部面５０と溝５３との間及びリブ５４と溝４９との間に面対面の当接状態が存在する。
【００２２】
弁２３及び壁４８の相応する形状及び両者間の当接状態が協働して、弁２３をキャップ２１内に適正に位置決めし且つ配置する。この位置決めによって弁２３の外側環状先端４３は、その１つを図４に示した通気ポート３４の各々の外端縁を超えて半径方向にも伸びる。以下に説明するように、半径方向弁フラップ３９を頂部デッキ２９の内面６０から引き離すのに十分に高い負圧が容器の内部に作用するとき、半径方向弁フラップ３９は、通気ポート３４から離れるように偏向する。このことは一方、通気ポート３４の上方で且つ該ポートの周りでフラップ３９の封止した配置を解消し且つ、外部の空気が通気ポート３４を通って容器内部に流れて負圧を解消し又は排除することを許容することになる。フラップ３９の容積及び弾性すなわち可撓性は、フラップ３９を通気ポート３４から持ち上げるのに必須の負圧が作用するような程度まで影響する。
【００２３】
傘形弁２３を拘束し且つ該傘形弁２３を所要位置に保持し、更に、半径方向フラップ３９の適正な又は望ましい動作を保証するため、リテーナリング２４が使用される。リテーナリング２４の外側環状リップ部６１は、内側円筒壁４７の基部に超音波溶接されている。リテーナリング２４の内側半径方向リップ部６２は、実質的に平坦であり、また、環状リング基部３７に対して当接するような構造及び配置とされている。リテーナリング２４は、図３の姿勢すなわち上下逆さの状態で使用することができる。図４の組立体は、図３の姿勢に相応する。図５の組立体は、「上下逆さ」の姿勢に相応する。
【００２４】
リテーナリング２４は、その間に画成されたセクター形状の開放空間６４がある状態で４つの等間隔のスポーク６３を含むホイール状の形態をしている。スポーク６３の各々は、第一のスポーク面６６に隆起リブ６５を有し且つ反対側の第二のスポーク面６８に１対の隆起リブ６７を有している。一側部に４つ、反対側部に８つ設けられたこれらのリブ６５、６６は、スポーク６２を補強し且つスポーク６２に剛性を与える。成形条件を考慮する結果、スポークの各々の一側部６６に１つのリブ６５があり、スポークの各々の反対側部６８に、１つのリブ６５から変位させた１対のリブ６７がある。図６を参照。
【００２５】
傘形弁２３を組み立て且つ拘束することを目的として、流体の漏れを防止し且つ適正な通気を可能にするため、２つの重要な位置がある。第一に、弁２３はリテーナリング２４が基部３７に対して当接することで軸方向に圧縮される。この軸方向への圧縮は、フラップ３９をキャップの頂部デッキ２９の下面６０に対し通気ポートの外方に強固に押すことになる。軸方向への圧縮程度は僅かではあるが、フラップ３９の形状、材料の選択及びその全体的な姿勢は、この封止作用を促進する。また、テーパー付きの環状壁４８が側壁４１に対して嵌まる結果、弁２３の側壁４１に対して半径方向に圧縮される。傘形弁２３がテーパー付きの環状壁４８とリテーナリング２４との間で圧縮されることは、適度な程度の密封性及び通気能力を維持し、容器の扁平化及び容器の潰れを最小にする。この半径方向圧縮位置は、環状リブ５４を溝４９内に圧縮することに制限することができる。
【００２６】
ガスケット２２がキャップ２１に取り付けられて通気口付き蓋２０の組み立てが完了したならば、傘形弁２３は、所要位置にあり、保持リング２４は超音波溶接されて傘形弁２３を拘束し、通気口付き蓋２０は容器にて使用する準備が整う。通気口付き蓋２０は、容器の雄ねじ付きくびれ開口部にねじ止め可能な構造及び配置とされている。くびれ部開口部を取り巻く容器の面は、安全リング３２のラチェット歯３８と協働する少なくとも１つの当接突起を有する。通気口付き蓋２０は、密着し且つ確実な封止接続部が得られる迄、前進させ且つ容器のくびれ開口部に完全にねじ止めすることができる。通気口付き蓋２０を容器から除去しようとする試みによって、最も近いラチェット歯３８が容器の突起に対して当接し、これにより通気口付き蓋が除去されるのを防止することになる。等間隔の系統の１０個のラチェット歯３８があるため、隣接する歯３８の間の半径方向中心線から半径方向中心線の間隔は３６゜となる。２．５４ｃｍ（１インチ）当たり約５．２５ねじのピッチにて、ラチェット歯３８が容器の突起に当接する前に、退行方向に向けた極めて僅かな軸方向への動きが生ずる。第二の突起が使用され、且つ第一の突起から１６２゜の位置に配置されたならば、許容される軸方向への移動距離は、半分に短縮されよう。
【００２７】
予想される容器の寸法は、１４１７．４８ｇ（５０オンス）、１８１４．３７ｇ（６４オンス）、及び２５５１．４６ｇ（９０オンス）であることが好ましいが、本発明は、これらの３つの寸法にのみ限定されず、実際の容器の寸法は１４１７．４８ｇ（５０オンス）以下又は２５５１．４６ｇ（９０オンス）以上としてもよく、これら寸法は、依然として本発明の原理及び教示に適合する。容器の好ましい材料は、くびれの寸法が５３ｍｍの高密度ポリエチレン（ＨＤＰＥ）である。
【００２８】
通気口付き蓋が（充填した）容器に固定され且つ封止された状態で、液体（又はスラリー製品）をディスペンスする過程は、皿洗い機用の洗剤のような液体を利用する機械又は装置に接続することを必要とする。この接続は、米国特許第５，０８６，９５０号の図１に図示されたように直接的なものとしし、又は、米国特許第５，０８６，９５０号の図２に図示するように接続導管を介して間接的なものとすることができる。導管の選んだ様式に関係なく、サイフォン管と呼ばれる中空の管状の穿刺装置を傘形弁２３の隔壁４０に挿入する。リップ部５９を含むキャップ壁４８の湾曲部分４６は、穿刺装置を受け入れ且つ整合させる。
【００２９】
傘形弁２３は、隔壁４０にスリット４０ａを有するシリコーンゴム、エラストマー性材料で製造された単一部材である。このスリット４０ａは、自己封止型であり且つ、管状の穿刺装置を使用することでスリットの側部が押し広げられない限り、容器内の液体が漏れないようにする。管状の穿刺装置が隔壁４０のスリット４０ａに（該スリットを通じて）挿入されたならば、スリットの側部は管状の穿刺装置の周りにシールを形成し、容器内の製品がディスペンスされる間、液体が漏れるのを防止する。サイフォン管の周りのスリットの側部が自己封止することは、一部分、傘形弁２３に対する材料を選ぶことで容易となる。更に、サイフォン管（存在するならば）が除去されたならば、隔壁は閉じ且つ、自己封止し又は自己封止した状態に戻る。補強リブ４０ｂは、サイフォン管を除去したとき、スリット４０ａの弾性及び閉塞状態を向上させ得るようにより一層の支持力及び強度を提供する。
【００３０】
通気口付き蓋２０を容器にて閉塞し且つ封止する安全保持方法を提供することに加えて、安全リング３２は、タンパープルーフ構造体を提供し、安全リング３２又は容器の突起の何れかに構造的損傷を与えない限り、組み立てた通気口付き蓋２０を容器から除去することはできないようにする。安全リング３２は、全て単一の一体構造体の一部として５つのスカートリブ３１によりキャップスカート部２８に固定状態に取り付けられている。これと代替的に、依然として単一構造体の一部であるが、この型式の接続は、蓋２０を強制的に退行方向に回転させたとき、これら脆弱部分が破断して、これにより蓋を容器から除去することができるようにすることを目的として、安全リング３２をキャップスカート部２８に接続する唯一の手段として一連の脆弱な要素と置換してもよい。これが為され、脆弱な要素が破断したならば、何らかのタンパリング行為があったかどうかが視覚的に明確に表示されよう。容器を再使用するため通気口付き蓋を除去し得ることは、容器を適宜な液体又はスラリー化した製品にて再充填し、新たな通気口付き蓋を取り付けることを許容する。
【００３１】
通気口付き蓋２０の重要な構成要素の１つは傘形弁２３であるため、特別に処方したシリコーン材料と共に特殊な作用部が傘形弁２３に組み込まれることを認識すべきである。この特別な処方のシリコーン材料は、傘形弁２３がその他の材料を採用するその他の弁と特徴的に異なる仕方にて機能することを許容する。ディスペンサから除去したとき、スリットの弾性及び閉塞状態を向上させ得るように傘形弁２３に対しより大きい支持力及び強度を提供する構造及び配置とされた補強リブの形態が傘形弁２３の隔膜面の一部として含まれている。本発明に関して、ディスペンサを除去することは、スリットが閉じて且つ封止した面を提供するのに必要なある時点にてサイフォン管を傘形弁から除去することを含むことを目的としている。
【００３２】
傘形弁２３に対して使用されるような特別な処方のシリコーンゴムは、各種の表面的構成要素と優れた材料の適合性を提供する。この材料は、熱及び紫外光線に曝されたとき、優れた耐水性及び安定性を提供する。更に、傘形弁２３に対する特別処方のシリコーン材料は、優れた潤滑性及び改良された弾性を含む、優れた非付着性質を有する。その低表面張力のため、この材料は優れた加湿材である。
【００３３】
有機質系ポリマーと異なり、シリコーンポリマーは、それ自体、比較的弱く且つ、架橋結合されたとき、僅か１．０Ｍｐａの引張り強度を生じさせる。有用なエンジニアリング性質を実現するため、シリコーンポリマーと化学的に適合可能な極めて微細な高表面フィラーを添加することにより、ポリマーを補強することが必要である。更に、十分な貯蔵寿命を制御し且つ加工容易性を確保するため、過程補助剤と称される機能的流体が必要とされ、また、加硫処理のため加硫剤が必要である。
【００３４】
ケイ酸ナトリウムの酸性化及び析出を通じて形成された析出した二酸化ケイ素を、シリコーン化合物における補強フィラーとして使用することもできるが、通常、燻蒸した二酸化ケイ素と比較して機械的性質は弱い。しかし、これらの成分は、低圧縮変形及び高弾性の点にて極めて優れており、その燻蒸した二酸化ケイ素の同等品よりも経済的である。
【００３５】
析出した二酸化ケイ素は、吸収した水をその表面に保持するため、部品に圧力を保つことができない限り、硬化する間、スポンジ吸収作用が生ずる。この理由のため、析出したフィラーは、主として成形過程を目的とする化合物にて利用される。
【００３６】
軟化剤としても既知の過程補助剤は、二酸化ケイ素フィラーの表面を化学的に改質し、シリコーンポリマーとのその関係を低下させる反応性シリコーン流体である。殆どの過程補助剤は、前処理過程にてシリカフィラーと予め反応させるか又は合成／混合段階の間、導入して「現所」処理を行うことのできる液体である。多くの場合、その双方の技術が採用される。
【００３７】
弁２３に対して使用されるような本発明のシリコーン化合物内に特別に処方されるものは、飽和程度にて自己ブリード性フィラーであり、このフィラーは、この流体が時間の経過と共に連続的に表面までブリードすることを許容する。この独特の特徴は、改良された化学的抵抗を提供し、サイフォン管の挿入を容易にし得るようスリット４０ａの表面に潤滑性を追加し、ディスペンサに取り付けられている間、非粘着面を提供し、また、隔膜を迅速に閉じ且つ除去したとき容器内の全ての残留する化学剤を封止するスリットの弾性を追加する。
【００３８】
図面及び上記の説明にて本発明を示し且つ、詳細に説明したが、これは、単に一例であり、特徴を限定するものと見なすべきではなく、好ましい実施の形態のみを示し且つ、説明したものであり、本発明の精神に属する全ての変更及び改変例が保護されることを望むものであることが理解される。
【図面の簡単な説明】
【００３９】
【図１】本発明の典型的な実施の形態による通気口付き蓋の斜視図である。
【図２】図１の通気口付き蓋の頂面図である
【図３】図１の通気口付き蓋の上下逆さの分解図である。
【図４】図１の通気口付き蓋の全断面の正面図である。
【図５】図１の通気口付き蓋の１つの代替的な構造の全断面の正面図である。
【図６】図１の通気口付き蓋の１つの構成要素を備えるリテーナリングの斜視図である。
【図７】図１の通気口付き蓋の１つの構成要素を備える傘形弁の斜視図である。
【符号の説明】
【００４０】
２０    通気口付き蓋
２１    キャップ
２２    ガスケット
２３    傘形弁
２４    リテーナリング／保持リング
２８    環状のキャップスカート部／蓋スカート部
２９    頂部デッキ
３０    周縁リング
３１    スカートリブ
３２    安全リング
３３    隔壁オリフィス
３４    通気ポート
３７    環状リング基部
３８    ラチェット歯
３９    環状の半径方向弁フラップ
４０    隔壁（隔膜）
４０ａ    スリット
４０ｂ  補強リブ
４１    テーパー付き側壁
４２    中空の内部
４３    環状の先端
４６    環状の湾曲部分
４７    同心状の内側円筒壁
４８    テーパー付きの環状壁／キャップ壁
４９    環状の受け入れ溝
５０  平坦な基部面
５１    内面
５２    壁の外面
５３    弁の溝
５４    環状リブ
５９    内側リップ部
６０    頂部デッキの内面／頂部デッキの下面
６１    リテーナリングの外側環状リップ部
６２    リテーナリングの内側半径方向リップ部
６３    スポーク
６４    セクター形状の開放空間
６５    隆起リブ
６６    第一のスポーク面／一側部
６７    隆起リブ
６８    第二のスポーク面／反対側部
【図１】
2004359345.tif 000003
【図２】
2004359345.tif 000004
【図３】
2004359345.tif 000005
【図４】
2004359345.tif 000006
【図５】
2004359345.tif 000007
【図６】
2004359345.tif 000008
【図７】
2004359345.tif 000009